(57)【要約】      （修正有）【課題】バックルのないベルトについて、装着時に伸縮ベルトが伸長している様が他者の目に触れないベルトを提供する。【解決手段】ベルト１０は、一端から順に短尺ベルト２０、長尺ベルト４０、伸縮ベルト６０、短尺ベルト２０と連結し、さらに、伸縮ベルト６０の外側を覆うカバーベルト５０を設ける。各短尺ベルト２０、２０の一端部２２、２２に折り返し部を形成し、長尺ベルト４０の他端部４４は第１のループ６６を伸縮ベルト６０の一端部６２と挟持し、重合して連結され、カバーベルト５０は、第１のループ６６に挿通され、その一端部５２は第２のループ５６が取り付けられ、第２のループ５６に長尺ベルト４０が挿通され、他端部５４は、カバーベルト５０の内側に位置する伸縮ベルト６０の他端部６４と連結される。【選択図】図１
0003191557.tif 000002
【実用新案登録請求の範囲】
【請求項１】
一端から順に短尺ベルト，長尺ベルト，伸縮ベルト，短尺ベルトと連結し，さらに，前記伸縮ベルトの外側を覆うカバーベルトを設けたベルトであって，
前記各短尺ベルトは，前記ベルトの両末端に位置する前記各短尺ベルトの一端部は折りたたみ自在な折り返し部とし，閉じた状態を維持する止め具が備えられ，各短尺ベルトの他端部は環状の連結具に連結され，
前記長尺ベルトの一端部を前記連結具に挿通し折り返しその端縁部を前記長尺ベルトの任意の位置に係止させる長さ調節具を備え，前記長尺ベルトの他端部は，第１のループを前記伸縮ベルトの一端部と挟持・重合して，連結され，
前記伸縮ベルトは，伸長復帰可能なゴム素材にて形成され，
前記カバーベルトは，前記第１のループに挿通され，前記カバーベルトの一端部は，第２のループが取り付けられ，該第２のループに前記長尺ベルトが挿通され，前記カバーベルトの他端部は，前記連結具に挿通し，折り返されて前記カバーベルトの内側に位置する前記伸縮ベルトの他端部を挟持・重合して，連結したことを特徴とするベルト。
【請求項２】
前記各短尺ベルト，前記長尺ベルト及び前記カバーベルトは，非伸縮性の天然皮革又は皮革代替品又は非伸縮性生地から形成したことを特徴とする請求項１記載のベルト。
【請求項３】
前記長さ調節具は，前記長尺ベルト上を移動可能に備えられていて，先端部に前記長尺ベルトの任意の位置に係止可能な鋸歯状の係止爪が形成され，基端部に前記長尺ベルトの一端部の端縁が連結される断面略Ｌ字状のクランプ片の屈曲部を軸支したことを特徴とする請求項１又は２記載のベルト。
【考案の詳細な説明】
【技術分野】
【０００１】
本考案は，バックルのないベルトに関する。
【背景技術】
【０００２】
一般に，着用中のズボン類がずり落ちないようにするために使用されるベルトは，帯状のベルト本体の一端部にバックルが連結され，装着時にベルト本体の他端部を前記バックルに通して使用するものである。
【０００３】
しかし，このようなバックルを使用するベルトは，ズボン類の上げ下ろしやズボン類の前面に設けられたボタン又はホック等の留め外しの度に，ベルトをバックルに通したり外したりする作業が必要となり，煩わしいものとなっている。
【０００４】
そこで，着用中のズボン類のずり落ちを防止するベルトとして，バックルを使用しないベルトが提案されている（特許文献１）。
【０００５】
特許文献１に開示の従来のバックルを使用しないベルト９０は，図４に示すように，着用者の前面を除く腰回りに装着され，伸縮自在ないし伸長復帰可能なゴム素材のベルトで形成され，アジャスター９２により長さ調節可能なベルト本体９１と，該ベルト本体９１の両端に設けられ，ズボン９６のベルトループ９８に取り付け可能としたベルト装着部９３，９３を備え，該ベルト装着部９３，９３は，前記ベルトループ９８を挟むように折り曲げる折り返し部を折り曲げ，この状態を維持するための雌雄ボタンによる止め具９４，９４を備えたものである。
【０００６】
このようなバックルを使用しないベルトは，起立・着席のとき，あるいは，着席時等の腹部の圧迫によるずり落ち，またズボン，スカート等の上げ下ろしやズボン類の前面に設けられたボタン又はホック，ファスナー等の留め外しを，ズボン類のずり落ちを防ぎつつ，ベルトを装着したままで可能とするものである。
【０００７】
また，バックルを使用しないため，かがんだままでも腹部前方，ないしウエスト周りを圧迫するものがなく，快適で動きやすいものとなっている。
【先行技術文献】
【特許文献】
【０００８】
【特許文献１】実用新案登録第３１７７０１１号公報
【考案の概要】
【考案が解決しようとする課題】
【０００９】
しかし，従来のバックルを使用しないベルトは，ベルト本体にゴムベルトを使用しているため，軽薄で安っぽく見えてしまう傾向がある。
【００１０】
また，バックルを使用しないベルトは，装着前にあらかじめベルト本体の長さをやや短めに設定して，装着時にベルト本体のゴムベルトを伸長させ，該ゴムベルトの復元力により腰回りを締めて，ズボンなどのずり落ちを防止するものである。
【００１１】
そのため，装着時にゴムベルトが伸長している状態が目に触れてしまい，見場が悪く，ファッション性に劣る。
【００１２】
そこで，本考案は，バックルを使用しないベルトについて，従来のバックルを使用しないベルトの利点を残しつつ，装着時のゴムベルトが伸長している様を他者の目に触れないようにし，デザイン的にも優れたベルトを提案する。
【課題を解決するための手段】
【００１３】
以下に，課題を解決するための手段を，考案を実施するための形態で使用する符号と共に記載する。この符号は，実用新案登録請求の範囲の記載と考案を実施するための形態の記載との対応を明らかにするために記載したものであり，言うまでもなく，本願考案の技術的範囲の解釈に制限的に用いられるものではない。
【００１４】
上記目的を達成するために，本考案のベルト１０は，一端から順に短尺ベルト２０，長尺ベルト４０，伸縮ベルト６０，短尺ベルト２０と連結し，さらに，前記伸縮ベルト６０の外側を覆うカバーベルト５０を設けたベルト１０であって，
前記各短尺ベルト２０，２０は，素材としては，伸縮性がある素材でもよいが，実施形態では，非伸縮性の帯状部材から成り，ベルト１０の両末端に位置する前記各短尺ベルト２０，２０の一端部２２,２２は折りたたみ自在な折り返し部とし，閉じた状態を維持する止め具２６，２６が備えられ，各短尺ベルト２０，２０の他端部２４，２４は長方形などの環状の連結具３０，７０に連結され，
前記長尺ベルト４０は，素材としては，伸縮性がある素材でもよいが，実施形態では，非伸縮性の帯状部材から成り，前記長尺ベルト４０の一端部４２を前記連結具３０に挿通し折り返しその端縁部を長尺ベルト４０の任意の位置に係止させる長さ調節具４６を備え，前記長尺ベルト４０の他端部４４は装着時，内側に位置する，第１のループ６６の一片を前記伸縮ベルト６０の一端部６２と重ねた状態で挟持して，例えば，縫合して相互に固着して連結され，
前記伸縮ベルト６０は，伸縮自在な例えば，ゴム等の素材で形成され，
前記カバーベルト５０は，実施形態では，非伸縮性の帯状部材から成り，前記第１のループ６６に挿通され，前記カバーベルト５０の一端部５２は第２のループ５６が取り付けられ，該第２のループ５６に前記長尺ベルト４０が挿通され，前記カバーベルト５０の他端部５４は前記連結具７０に挿通し折り返されて前記カバーベルト５０の内側に位置する前記伸縮ベルト６０の他端部６４を挟むように重ねた状態で，例えば，逢合して連結されたことを特徴とする（請求項１）。
【００１５】
前記各短尺ベルト２０，２０，前記長尺ベルト４０及び前記カバーベルト５０を天然皮革又は合成皮革や非伸縮性の生地など皮革代替品から形成しても良い（請求項２）。
【００１６】
前記長さ調節具４６は，前記長尺ベルト４０上を移動可能に備えられていて，先端部に前記長尺ベルト４０の任意の位置に係止可能な鋸歯状の係止爪４８が形成され，基端部に前記長尺ベルト４０の一端部４２の端縁が連結される断面略Ｌ字状のクランプ片４９の屈曲部を軸支したものを使用しても良い（請求項３）。
【考案の効果】
【００１７】
以上で説明した本考案のベルト１０によれば，従来のバックルのないベルトに加え，以下の顕著な効果を得ることができた。
【００１８】
上述の構成を備える本考案のベルト１０は，ベルト１０の装着時における伸縮ベルト６０の伸長が外部からはほぼ完全に見えないため，見栄えが良い。
【００１９】
また，各短尺ベルト２０，２０，長尺ベルト４０及びカバーベルト５０について，皮革もしくは皮革状素材から形成されたものを使用した場合，装着時のベルト１０の外観は一本の革ベルトのように見えるためデザイン的に優れる。また，非伸縮素材の外観で伸縮するベルトが作成できるため，色，柄等幅広い意匠が可能である。
【図面の簡単な説明】
【００２０】
【図１】ベルト１０の全体を示す斜視図。
【図２】非装着時のベルト１０の伸縮ベルト６０のみを伸長させた状態を示す部分図。
【図３】装着時のベルト１０の状態を示す部分図（２点鎖線は，伸縮ベルト６０がウエストに対応して伸長した状態を示す）。
【図４】従来のバックルを使用しないベルトの装着状態を示す斜視図。
【考案を実施するための形態】
【００２１】
次に，本考案の一実施形態につき添付図面を参照しながら説明する。
【００２２】
図１は，本実施形態のベルト１０の全体を示す斜視図であり，ベルト１０は上述した従来のバックルを使用しないベルトと同様に，着用者の前面を除く腰回りに装着されるものである。
【００２３】
本実施形態のベルト１０は，図１に示すように，一端から順に短尺ベルト２０，長尺ベルト４０，伸縮ベルト６０，短尺ベルト２０と連結され，前記伸縮ベルト６０の外側を覆うカバーベルト５０が設けられている。
【００２４】
〔短尺ベルト２０〕
ベルト１０の両端に配置される前記短尺ベルト２０，２０は，非伸縮性の帯状部材から成る。なお，非伸縮性の帯状部材としては，素材は特に限定されないが，デザイン面から重厚感，高級感のある天然皮革もしくは合成皮革，非伸縮性の生地などを使用するのが好適である。
【００２５】
図１に示すように，ベルト１０の両末端に位置する短尺ベルト２０，２０の一端部２２，２２は折りたたみ自在な折り返し部とし，ベルト１０の装着時にズボン類のベルトループを挟むように折り返し閉じた状態を維持するための金属製等の例えば，スナップボタンなどの止め具２６，２６を備える。
【００２６】
また，短尺ベルト２０，２０の他端部２４，２４は，環状の連結具３０，７０に連結される。本実施形態では，図１に示すように，連結具３０，７０に角カンを使用し，各短尺ベルト２０，２０の他端部２４，２４を該角カンに挿通した後に折り返して縫合することで連結されている。
【００２７】
〔長尺ベルト４０〕
前記長尺ベルト４０は，非伸縮性の帯状部材から成る。
【００２８】
長尺ベルト４０は，ベルト１０の全長を調整するために，長尺ベルト４０の一端部４２を折り返して端縁部を長尺ベルト４０の任意の位置に係止させる長さ調節具４６を備える。
【００２９】
詳細には，図１に示すように，先端部に長尺ベルト４０の任意の位置に係止可能な鋸歯状の係止爪４８が形成された断面略Ｌ字状のクランプ片４９を軸支して，この長さ調節具４６が長尺ベルト４０上を移動可能に備えられ，長尺ベルト４０の一端部４２を前記連結具３０に挿通し折り返して，その端縁を前記クランプ片４９の基端部の係止爪で掛止して連結している。
【００３０】
なお，前記係止爪４８は図示されていないが，上述した通り前記クランプ片４９の先端部に形成されていて，前記クランプ片４９はその屈曲部が長さ調節具４６に軸支されており，前記クランプ片４９を回転させることにより，係止爪４８を長尺ベルト４０に食い込ませて係止し，あるいは，係止状態を解除することができる。
【００３１】
長尺ベルト４０の長さを前記長さ調節具４６で調節することで，ベルト１０の全長を調節することができる。
【００３２】
また，長尺ベルト４０の他端部４４は，図１に示すように，後述するカバーベルト５０を挿通させる第１のループ６６を間に挟むように，前記伸縮ベルト６０の一端部６２とで重ねた状態で縫合して伸縮ベルト６０と連結されている。また，これにより，伸縮ベルト６０の一端部６２に前記第１のループ６６が取り付けられた状態となっている。
【００３３】
〔伸縮ベルト６０〕
前記伸縮ベルト６０は伸長復帰可能なゴム素材の帯状部材から成り，ベルト１０の装着時には，伸長した伸縮ベルト６０の復元力によって腰回りを締め付けて，ズボンのずり下がりを防止することができる。
【００３４】
〔カバーベルト５０〕
前記カバーベルト５０は，非伸縮性の帯状部材から成る。なお，非伸縮性の帯状部材であるならば素材は特に限定されないが，デザイン面から重厚感，高級感のある皮革もしくは皮革状素材もしくは，非伸縮性の生地を使用するのが好適である。
【００３５】
カバーベルト５０は，図１に示すように，前記第１のループ６６に挿通され，また，カバーベルト５０の一端部５２に第２のループ５６を取り付け，該第２のループ５６に前記長尺ベルト４０が挿通されている。これにより，ベルト１０の装着時にカバーベルト５０が撓んだり，めくれあがって長尺ベルト４０から浮くことが防止されている。
【００３６】
また，カバーベルト５０の他端部５４は，図１に示すように，連結具７０に挿通して折り返しカバーベルト５０の背面に位置する前記伸縮ベルト６０の他端部６４を挟むように重ねた状態で縫合して，連結具７０及び伸縮ベルト６０と連結されている。
【００３７】
図３は，装着時における本実施形態のベルト１０の伸縮ベルト６０が伸長された状態を示している。図３中の２点鎖線で描かれた前記第１のループ６６が示すように，伸縮ベルト６０の伸長に伴い，カバーベルト５０と長尺ベルト４０は互いに移動し，そして，伸縮ベルト６０の一端部６２に取り付けられた前記第１のループ６６がカバーベルト５０に沿って前記第２のループ５６に近づくように移動する。
【００３８】
この伸縮ベルト６０の伸長に伴いカバーベルト５０と長尺ベルト４０が互いに移動している間，カバーベルト５０は，第１のループ６６と第２のループ５６により，撓んだり，めくれあがって長尺ベルト４０から浮いたりしない。
【００３９】
また，図２に示すように，上述の第１のループ６６の移動は第２のループ５６の係止により規制され，これに伴い伸縮ベルト６０の伸長も制限されるため，伸縮ベルト６０が伸長し過ぎることによりカバーベルト５０からはみ出すことはない。なお，図２は非装着時のベルト１０について，第１のループ６６を第２のループ５６に限界まで近づけた状態を示したものである。
【００４０】
従って，伸縮ベルト６０の外側は，伸縮ベルト６０の平常時及び伸長時に関わらず常にカバーベルト５０に隠されることになり，ベルト１０の装着時において，伸縮ベルト６０が伸長した状態は外部から見えないようになっている。
【００４１】
また，上述した本実施形態のベルト１０は，短尺ベルト２０，２０，長尺ベルト４０及び，カバーベルト５０に合成又は天然皮革を使用しており，また，伸縮ベルト６０は平常時及び伸長時においてカバーベルト５０によって隠れて外部から見えないため，ベルト１０の外観は一本の革ベルトのように見え，デザイン的に優れている。
【符号の説明】
【００４２】
１０…ベルト
２０，２０…短尺ベルト
２２，２２…一端部（短尺ベルト２０の）
２４，２４…他端部（短尺ベルト２０の）
２６，２６…止め具
３０…連結具
４０…長尺ベルト
４２…一端部（長尺ベルト４０の）
４４…他端部（長尺ベルト４０の）
４６…長さ調節具
４８…係止爪
４９…クランプ片
５０…カバーベルト
５２…一端部（カバーベルト５０の）
５４…他端部（カバーベルト５０の）
５６…第２のループ
６０…伸縮ベルト
６２…一端部（伸縮ベルト６０の）
６４…他端部（伸縮ベルト６０の）
６６…第１のループ
７０…連結具
９０…ベルト
９１…ベルト本体
９２…アジャスター
９３，９３…ベルト装着部
９４，９４…止め具
９６…ズボン
９８…ベルトループ
【図１】
0003191557.tif 000003
【図２】
0003191557.tif 000004
【図３】
0003191557.tif 000005
【図４】
0003191557.tif 000006